(57)【要約】【課題】器具が必要な点検項目の点検を実施しやすくする。【解決手段】車両の点検を支援するための点検支援用プログラムであって、コンピュータを、複数の点検項目から１つの実施点検項目を選択するための選択画面を表示部２５に表示させる表示制御部２７２、及び選択画面において選択された実施点検項目に関連付けられたコンピュータが備えるデバイスを動作させるデバイス制御部２７３として機能させる。デバイス制御部２７３は、選択画面において車両のバッテリの液量の点検が実施点検項目として選択された場合、実施点検項目に関連付けられたデバイスとしてライト２２を点灯させてもよい。デバイス制御部２７３、実施点検項目に関連付けられたデバイスとして、画像を生成する撮像装置２３を起動させてもよい。【選択図】図４
2020201223.tif 000002
【特許請求の範囲】
【請求項１】
車両の点検を支援するための点検支援用プログラムであって、
コンピュータを、
複数の点検項目から１つの実施点検項目を選択するための選択画面を表示部に表示させる表示制御部、及び
前記選択画面において選択された前記実施点検項目に関連付けられた前記コンピュータが備えるデバイスを動作させるデバイス制御部
として機能させるための点検支援用プログラム。
【請求項２】
前記デバイス制御部は、前記選択画面において前記車両のバッテリの液量の点検が前記実施点検項目として選択された場合、当該実施点検項目に関連付けられた前記デバイスとしてライトを点灯させる、
請求項１に記載の点検支援用プログラム。
【請求項３】
前記デバイス制御部は、前記実施点検項目に関連付けられた前記デバイスとして、画像を生成する撮像装置を起動させる、
請求項１又は２に記載の点検支援用プログラム。
【請求項４】
前記コンピュータを、
前記撮像装置が生成した画像を前記実施点検項目に関連付けて、前記点検に関する外部装置へ送信する送信部としてさらに機能させる、
請求項３に記載の点検支援用プログラム。
【請求項５】
車両の点検を支援するための点検支援システムであって、
前記点検支援システムは、点検支援装置と、前記点検を管理するための管理装置とを備え、
前記点検支援装置は、
複数の点検項目から１つの実施点検項目を選択するための選択画面を表示する表示部を備え、
前記管理装置は、
前記選択画面を前記表示部に表示させる表示制御部と、
前記選択画面において選択された前記実施点検項目に関連付けられた前記点検支援装置のデバイスを動作させるデバイス制御部と、を備える
点検支援システム。
【発明の詳細な説明】
【技術分野】
【０００１】
本発明は、車両の点検を支援する点検支援用プログラム及び点検支援システムに関する。
【背景技術】
【０００２】
トラック等の商用車のユーザは、始業前点検を行う必要がある。始業前点検の点検結果を入力するための入力画面を表示する車両点検支援装置が知られている（例えば、特許文献１）。
【先行技術文献】
【特許文献】
【０００３】
【特許文献１】特開２００７−１１８８８７号公報
【発明の概要】
【発明が解決しようとする課題】
【０００４】
始業前点検の点検項目によっては、ライト等の器具を使用することがある。特許文献１に記載された発明では、このような点検項目の点検の実施のために器具を用意する必要があった。
【０００５】
本発明は、上記の事情に鑑みてなされたものであり、器具が必要な点検項目の点検を実施しやすくすることができる点検支援用プログラム及び点検支援システムを提供する。
【課題を解決するための手段】
【０００６】
本発明の第１の態様の点検支援用プログラムは、車両の点検を支援するための点検支援用プログラムであって、コンピュータを、複数の点検項目から１つの実施点検項目を選択するための選択画面を表示部に表示させる表示制御部、及び前記選択画面において選択された前記実施点検項目に関連付けられた前記コンピュータが備えるデバイスを動作させるデバイス制御部として機能させる。
【０００７】
前記デバイス制御部は、前記選択画面において前記車両のバッテリの液量の点検が前記実施点検項目として選択された場合、当該実施点検項目に関連付けられた前記デバイスとしてライトを点灯させてもよい。前記デバイス制御部は、前記実施点検項目に関連付けられた前記デバイスとして、画像を生成する撮像装置を起動させてもよい。
【０００８】
前記コンピュータを、前記撮像装置が生成した画像を前記実施点検項目に関連付けて、前記点検に関する外部装置へ送信する送信部としてさらに機能させてもよい。
【０００９】
本発明の第２の態様の点検支援システムは、車両の点検を支援するための点検支援システムであって、前記点検支援システムは、点検支援装置と、前記点検を管理するための管理装置とを備え、前記点検支援装置は、複数の点検項目から１つの実施点検項目を選択するための選択画面を表示する表示部を備え、前記管理装置は、前記選択画面を前記表示部に表示させる表示制御部と、前記選択画面において選択された前記実施点検項目に関連付けられた前記点検支援装置のデバイスを動作させるデバイス制御部と、を備える。
【発明の効果】
【００１０】
本発明によれば、器具が必要な点検項目の点検を実施しやすくするという効果を奏する。
【図面の簡単な説明】
【００１１】
【図１】実施形態の点検支援システムの構成を示す図である。
【図２】点検アプリが起動された直後に点検支援装置が表示する画面を示す図である。
【図３】車両の構成を示す図である。
【図４】点検支援装置の構成を示す図である。
【図５】表示制御部により表示される画面の一例を示す図である。
【図６】表示制御部により表示される画面の一例を示す図である。
【図７】デバイス制御部によりデバイスを動作させる一例を示す図である。
【図８】デバイス制御部によりデバイスを動作させる一例を示す図である。
【図９】点検支援装置によるデバイスの動作の処理手順を示すフローチャートである。
【図１０】別の点検支援システムの構成を示す図である。
【発明を実施するための形態】
【００１２】
［点検支援システムの概要］
図１は、本実施形態の点検支援システムＳの構成を示す図である。点検支援システムＳは、車両１の点検を支援するための点検支援装置２と、車両１の点検に関する外部装置３を備える。車両１は、商用車であり、例えばトラックである。点検支援装置２は、車両１を点検する事業者が管理する装置であり、例えばスマートフォン又はタブレット等の情報端末である。
【００１３】
点検支援装置２は、点検用アプリケーションソフトウェア（以下、「点検アプリ」という。）が起動されることにより、車両１の始業前点検における点検項目及び点検方法をディスプレイに表示する。点検支援装置２は、点検結果を入力するユーザＵの操作を受け付ける。
【００１４】
また、点検支援装置２は、車両１に搭載された車載無線機を介して、無線通信により車両１と通信する。例えば、点検支援装置２は、Ｗｉ−Ｆｉ（登録商標）又はブルートゥース（登録商標）により車両１と通信する。点検支援装置２は、例えば、無線通信により、車両１の設備の状態を変化させるための情報を車両１へ送信する。
【００１５】
点検支援装置２は、一部の点検項目について車両１の状態を撮像してもよい。点検支援装置２は、ネットワークＮを介して、車両１の状態を撮像した画像や車両１の点検結果等を外部装置３へ送信する。外部装置３は、ネットワークＮを介して、点検支援装置２と接続されている。外部装置３は、車両１の状態を撮像した画像や、車両１の点検結果等を点検支援装置２から取得する。
【００１６】
図２は、点検アプリが起動された直後に点検支援装置２が表示する画面を示す図である。図２に示すように、点検支援装置２は、まず、始業前点検を行う車両１を選択するための画面を表示する。図２の例では、車両登録情報「品川ＸＸＸあＹＹＹ」の車両を選択するための操作キーと、車両登録情報「品川ＸＸＸいＺＺＺ」の車両を選択するための操作キーとが表示されている。車両登録情報は、車両を識別するための情報である。車両登録情報は、点検支援システムＳの管理者により予め登録されている。
【００１７】
図２の画面において車両１を選択するための操作が行われると、選択された車両１に必要な点検項目が表示される。ユーザＵは、表示された点検項目に対応する点検を実施して、点検結果を点検支援装置２に入力する。点検支援装置２が点検項目を表示する態様の詳細については後述する。
【００１８】
［車両の構成］
図３は、車両１の構成を示す図である。車両１は、車載無線機１１、各種ランプ１２、各種センサ１３及びＥＣＵ（Electronic Control Unit）１４を備える。ＥＣＵ１４は、記憶部１４１及び制御部１４２を有する。
【００１９】
車載無線機１１は、無線通信により点検支援装置２と通信するための装置である。車載無線機１１は、制御部１４２から通知された情報を点検支援装置２に送信する。また、車載無線機１１は、点検支援装置２から受信した情報を制御部１４２に通知する。車載無線機１１は、制御部１４２から通知された情報を、点検支援装置２以外の装置（例えば、サーバ）に送信してもよい。
【００２０】
各種ランプ１２は、例えば、ブレーキランプ、バックライト等である。各種センサ１３は、例えば、ブレーキペダルの踏み込みを検出するためのセンサ、ギヤがリヤに入ったことを検出するセンサ等である。
【００２１】
ＥＣＵ１４は、コンピュータによって車両１の各部を電子制御するための制御装置である。記憶部１４１は、例えば、ＲＯＭ（Read Only Memory）及びＲＡＭ（Random Access Memory）等により構成される。記憶部１４１は、制御部１４２を機能させるための各種プログラムや各種データを記憶する。
【００２２】
制御部１４２は、記憶部１４１に記憶されたプログラムを実行することにより、車両１の各部を制御する。例えば、制御部１４２は、車載無線機１１を介して点検支援装置２から受信した情報に基づいて各種ランプ１２を点灯させたり消灯させたりする。
【００２３】
［点検支援装置の構成］
図４は、点検支援装置２の構成を示す図である。点検支援装置２は、通信部２１、ライト２２、撮像装置２３、タッチパネル２４、表示部２５、記憶部２６及び制御部２７を備える。
【００２４】
通信部２１は、車両１と通信するための通信モジュールである。ライト２２は、光を照射する。撮像装置２３は、画像を生成するカメラである。タッチパネル２４は、表示部２５へのタッチ操作を検出する。表示部２５は、画像を表示するためのディスプレイである。記憶部２６は、例えば、ＲＯＭ及びＲＡＭ等により構成される。
【００２５】
制御部２７は、例えば、ＣＰＵ（Central Processing Unit）である。制御部２７は、記憶部２６に記憶されたプログラムを実行することにより、操作受付部２７１、表示制御部２７２、デバイス制御部２７３、通信制御部２７４として機能する。操作受付部２７１は、タッチパネル２４に入力された操作を受け付ける。例えば、操作受付部２７１は、複数の点検項目それぞれの点検結果の入力を受け付ける。
【００２６】
表示制御部２７２は、複数の点検項目から１つの点検項目を選択するための選択画面を表示部２５に表示させる。以下、選択された点検項目を実施点検項目ということとする。図５及び図６は、表示制御部２７２により表示される画面の一例を示す図である。図５（ａ）及び（ｂ）は、選択画面の一例を示す図である。図５（ａ）の選択画面は、複数の点検項目を含む。
【００２７】
図５（ａ）に表示された複数の点検項目は、いずれも既に実施された状態であるものとする。それぞれの点検項目における左上部分の矩形の表示欄には、点検を実施したことを示すチェックマークがそれぞれ付されている。
【００２８】
表示制御部２７２は、図５（ａ）の選択画面の右端付近をタップする操作を受け付けると、図５（ｂ）の選択画面を表示する。図５（ｂ）に表示された複数の点検項目の点検はいずれも実施されていない。このため、それぞれの点検項目における左上部分の矩形の表示欄には、点検を実施したことを示すチェックマークはいずれも付されていない。
【００２９】
選択画面には、複数の「点検を実施」キーが配置されている。「点検を実施」キーは、対応する点検項目を選択するためのものである。例えば、表示制御部２７２は、図５（ｂ）において上から１番目の点検項目「バッテリの液量を点検」を選択する操作を操作受付部２７１が受け付けた場合に、図６に示す実行画面を表示する。
【００３０】
図６は、表示制御部２７２が表示する実行画面の一例を示す図である。図６の例では、点検項目「バッテリの液量を点検」の点検を実行するための実行画面を示す。表示制御部２７２は、バッテリの液量が適正であることの入力を受け付ける「ＯＫ」キーと、バッテリの液量が適正でないことの入力を受け付ける「ＮＧ」キーとを実行画面において表示する。
【００３１】
［デバイスの起動］
デバイス制御部２７３は、始業前点検において点検支援装置２が備えるデバイスを動作させる。デバイスは、例えば、ライト２２である。バッテリ液量の点検では、バッテリ容器が不透明の場合、液面を確認しづらいという問題があった。従来、車両１を揺らして液面を振動させることにより液面を確認する等の方策が考案されていたが、大型車等を揺らすことは困難であった。ライト２２の光を照射すると、液面の位置が比較的確認しやすくなる。
【００３２】
記憶部２６には、点検項目と、この点検項目の点検において有用な点検支援装置２のデバイスの識別ＩＤとが関連付けて記憶されている。デバイス制御部２７３は、記憶部２６を参照して、選択画面において選択された実施点検項目に関連付けられた識別ＩＤのデバイスを特定する。デバイス制御部２７３は、特定したデバイスを動作させる。
【００３３】
例えば、デバイス制御部２７３は、図６の例では、選択画面において実施点検項目「バッテリの液量を点検」が選択された場合、実施点検項目に関連付けられたデバイスとしてライト２２を点灯させる。デバイス制御部２７３は、点検項目「バッテリの液量を点検」に関し、「点検を実施」キーを選択する操作を操作受付部２７１が受け付けたタイミングでライト２２を点灯させる。このような構成により、ユーザＵは、ライト２２等のデバイスを起動させる操作を省略することができる。したがって、デバイス制御部２７３は、器具が必要な点検項目の点検を実施しやすくすることができる。
【００３４】
また、点検項目の中には、点検時の車両１の状態を示す画像を残しておく必要がある項目がある。例えば、車両１のユーザＵは、一部の点検項目に関し、車両１の状態を撮像して外部装置３（図１）へ送信し、点検方法や異常の有無の判定基準について車両１を管理する管理者から助言を受けることがある。また、ユーザＵは、点検を実施したことを証明する資料として、点検時の車両１の状態を撮像装置２３により撮像して残しておくこともある。このような目的のために、デバイス制御部２７３は、一部の実施点検項目に関連付けられたデバイスとして、画像を生成する撮像装置２３を起動させてもよい。
【００３５】
図７及び図８は、デバイス制御部２７３によりデバイスを動作させる一例を示す図である。図７に示す選択画面は、点検項目「ファンドライブオイルの液面の位置の点検」と、点検項目「ファンドライブオイルの漏れの点検」とを含む。ファンドライブオイルは、エンジン冷却ファンの回転数を制御するクラッチに用いられる。
【００３６】
点検項目「ファンドライブオイルの液面の位置の点検」に対応する「点検を実施」キーを選択する操作を操作受付部２７１が受け付けると、図８の実行画面が表示される。点検項目「ファンドライブオイルの液面の位置の点検」は、撮像装置２３に関連付けられて記憶部２６に記憶されている。このため、デバイス制御部２７３は、「点検を実施」キーを選択する操作を操作受付部２７１が受け付けたタイミングで撮像装置２３を起動させる。
【００３７】
図８は、点検項目「ファンドライブオイルの液面位置の点検」の点検を実行するための実行画面を示す。この実行画面は、撮像装置２３による撮像を行うための「画像を記録」キーを含む。「画像を記録」キーを選択する操作を操作受付部２７１が受け付けると、撮像装置２３により撮像される範囲を表示するプレビュー画面が表示される。このプレビュー画面が表示された状態では、撮像装置２３による撮像が可能になる。撮像装置２３の起動には比較的時間がかかるため、デバイス制御部２７３は、プレビュー画面が表示される前の段階で撮像装置２３を起動させることにより、撮像が行われるまでの時間を短縮することができる。
【００３８】
通信制御部２７４は、通信部２１を介して、車両１の点検を管理するための外部装置３と通信する。例えば、通信制御部２７４は、撮像装置２３が生成した画像と、実施点検項目と、操作受付部２７１が受け付けた点検結果と、点検を実施した日時と、点検の対象の車両１の車両登録情報とを関連付けて外部装置３へ送信する。
【００３９】
外部装置３は、撮像装置２３が生成した画像と、実施点検項目と、点検結果と、点検を実施した日時と、車両登録情報とを関連付けて記憶する。外部装置３は、撮像装置２３が生成した画像を履歴情報として記憶するので、点検支援システムＳの管理者は、始業前点検の点検方法や判定基準等についてユーザに助言等を行う際にこの画像を参照することができる。
【００４０】
［点検支援装置によるデバイスの動作の処理手順］
図９は、点検支援装置２によるデバイスの動作の処理手順を示すフローチャートである。この処理手順は、選択画面の表示を指示する操作を操作受付部２７１が受け付けたときに開始する。
【００４１】
まず、表示制御部２７２は、選択画面を表示する（Ｓ１０１）。次に、デバイス制御部２７３は、選択画面において表示された複数の点検項目から１つの実施点検項目を選択する操作を操作受付部２７１が受け付けたか否かを判定する（Ｓ１０２）。デバイス制御部２７３は、実施点検項目を選択する操作を操作受付部２７１が受け付けたと判定した場合に（Ｓ１０２のＹＥＳ）、選択された実施点検項目に記憶部２６において関連付けられたデバイスがあるか否かを判定する（Ｓ１０３）。
【００４２】
デバイス制御部２７３は、選択された実施点検項目に記憶部２６において関連付けられたデバイスがある場合に（Ｓ１０３のＹＥＳ）、このデバイスを動作させる（Ｓ１０４）。表示制御部２７２は、選択された実施点検項目を実施するための実施画面を表示し（Ｓ１０５）、処理を終了する。
【００４３】
デバイス制御部２７３は、Ｓ１０２の判定において１つの実施点検項目を選択する操作を操作受付部２７１が受け付けていないと判定した場合（Ｓ１０２のＮＯ）、Ｓ１０２の判定を繰り返す。デバイス制御部２７３は、Ｓ１０３の判定において選択された実施点検項目に記憶部２６において関連付けられたデバイスがないと判定した場合（Ｓ１０３のＮＯ）、デバイスを動作させることなく、Ｓ１０５の処理に進む。
【００４４】
［本発明による効果］
本実施形態によれば、デバイス制御部２７３は、選択画面において選択された実施点検項目に関連付けられた、点検支援装置２が備えるデバイスを動作させる。このような構成により、実施点検項目の選択に連動してデバイスが動作されるので、ユーザＵは、デバイスを動作させるための操作を省略することができる。したがって、デバイス制御部２７３は、デバイスが必要な点検項目の点検を実施しやすくすることができる。
【００４５】
［点検支援システムの変形例］
本実施形態では、図４の表示制御部２７２及びデバイス制御部２７３が点検支援装置２に実装される場合の例について説明した。しかしながら、本発明は、これに限定されない。例えば、表示制御部２７２及びデバイス制御部２７３が点検支援装置２とは異なる装置に実装されていてもよい。
【００４６】
図１０は、別の点検支援システムＳの構成を示す図である。図１０の点検支援システムＳは、車両１の点検を支援するための点検支援装置２と、車両１の点検に関する外部装置３と、点検を管理するための管理装置１００とを備える。管理装置１００は、ネットワークＮを介して、点検支援装置２と接続されている。管理装置１００は、単一のサーバであってもよく、複数のサーバから構成されたクラウドサーバであってもよい。
【００４７】
管理装置１００は、表示制御部及びデバイス制御部を備える。表示制御部及びデバイス制御部は、それぞれ図４の表示制御部２７２及びデバイス制御部２７３と同様であるので、説明を省略する。なお、管理装置１００は、外部装置３と同一のサーバであってもよい。
【００４８】
以上、本発明を実施の形態を用いて説明したが、本発明の技術的範囲は上記実施の形態に記載の範囲には限定されず、その要旨の範囲内で種々の変形及び変更が可能である。例えば、装置の全部又は一部は、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を併せ持つ。
【符号の説明】
【００４９】
１  車両
２  点検支援装置
３  外部装置
１１  車載無線機
１２  各種ランプ
１３  各種センサ
１４  ＥＣＵ
２１  通信部
２２  ライト
２３  撮像装置
２４  タッチパネル
２５  表示部
２６  記憶部
２７  制御部
１００  管理装置
１４１  記憶部
１４２  制御部
２７１  操作受付部
２７２  表示制御部
２７３  デバイス制御部
２７４  通信制御部
【図１】
2020201223.tif 000003
【図２】
2020201223.tif 000004
【図３】
2020201223.tif 000005
【図４】
2020201223.tif 000006
【図５】
2020201223.tif 000007
【図６】
2020201223.tif 000008
【図７】
2020201223.tif 000009
【図８】
2020201223.tif 000010
【図９】
2020201223.tif 000011
【図１０】
2020201223.tif 000012